(57)【要約】【課題】本体ケース内部にスペースがない場合にも、ディスクトレイの位置を検出する。【解決手段】ディスクトレイ１４は、モータ６８の駆動により、引出し位置と格納位置との間で移動する。ディスクトレイ１４の下面に、検出スイッチ２１、スイッチレバー２２を取り付ける。スイッチレバー２２は、スイッチ片２１ｂを押圧する検出位置と、スイッチ片２１ｂを押圧しない非検出位置との間で回転する。スイッチレバー２２は、スイッチバネ２３により、非検出位置に向けて付勢される。ディスクトレイ１４が引出し位置に移動すると、当接部２２ｂが下カバー９の当接片９ｂに当接して、スイッチレバー２２は、検出位置に向けて回転され、スイッチ片２１ｂが押圧されて、検出スイッチ２１がオンされる。【選択図】図４
2008305522.tif 000002
【特許請求の範囲】
【請求項１】
光ディスクが装填されるディスクトレイを、トレイ駆動機構により、ケースから引き出された引出し位置と、前記ケースの内部に格納された格納位置との間で移動させる光ディスク装置において、
前記ディスクトレイに設けられ、検出位置と非検出位置との間で変位可能な変位部材と、
前記ディスクトレイに設けられ、前記変位部材を前記非検出位置に向けて付勢する付勢手段と、
前記ディスクトレイが前記引出し位置まで移動したときに、前記変位部材に当接して当該変位部材を前記検出位置に変位させる当接部と、
前記ディスクトレイに設けられ、前記変位部材が前記検出位置に変位したことを検出する検出手段と、を備えたことを特徴とする光ディスク装置。
【請求項２】
前記当接部を、前記ケースに設けたことを特徴とする請求項１記載の光ディスク装置。
【請求項３】
前記検出手段は、押圧可能な押圧部を有し、前記押圧部が押圧されたことを検出する押圧スイッチから構成され、
前記変位部材は、前記検出位置に変位したときに前記押圧部を押圧し、前記非検出位置に変位したときに前記押圧部への押圧を解除することを特徴とする請求項１または２記載の光ディスク装置。
【請求項４】
前記検出手段の検出結果に基づいて、前記トレイ駆動機構の駆動を制御する制御手段を備えたことを特徴とする請求項１ないし３いずれか１つ記載の光ディスク装置。
【発明の詳細な説明】
【技術分野】
【０００１】
本発明は、ディスクトレイをオートローディングする光ディスク装置に関するものである。
【背景技術】
【０００２】
光ディスク装置には、ＣＤ、ＤＶＤなどの光ディスクが記憶媒体として用いられている。光ディスク装置は、光ディスクを装填するディスクトレイを、本体ケース外部に引き出される引出し位置と、本体ケース内部に格納される格納位置との間で移動自在に組み込み、光ディスクの着脱時にはディスクトレイを引出し位置に引き出し、使用時にはディスクトレイを格納位置に移動するように構成される。
【０００３】
近年では、ディスクトレイをオートローディングする技術が提案されている（例えば特許文献１参照）。特許文献１では、ディスクトレイを引出し位置と収納位置との間で移動させる場合に操作する操作部を有するスライダをディスクトレイに設け、筐体内部に、操作部が操作されたことを検出する検出スイッチを設けている。
【特許文献１】特開２００３−７７２６０号公報
【発明の開示】
【発明が解決しようとする課題】
【０００４】
しかしながら、薄型タイプの光ディスク装置では、本体ケース内部に、特許文献１に記載の検出スイッチを設けるスペースを確保することが難しく、検出スイッチを設けることができない場合には、ディスクトレイの位置を検出することができないという問題があった。
【０００５】
本発明は、上記課題を解決するためになされたものであり、本体ケース内部にスペースがない場合にも、ディスクトレイの位置を検出することができる光ディスク装置を提供することを目的とする。
【課題を解決するための手段】
【０００６】
上記目的を達成するために、本発明の光ディスク装置は、光ディスクが装填されるディスクトレイを、モータを有するトレイ移動機構により、ケースから引き出された引出し位置と、前記ケースの内部に格納された格納位置との間で移動させる光ディスク装置において、前記ディスクトレイに設けられ、検出位置と非検出位置との間で変位可能な変位部材と；前記ディスクトレイに設けられ、前記変位部材を前記非検出位置に向けて付勢する付勢手段と；前記ディスクトレイが前記引出し位置まで移動したときに、前記変位部材に当接して当該変位部材を前記検出位置に変位させる当接部と；前記ディスクトレイに設けられ、前記変位部材が前記検出位置に変位したことを検出する検出手段と；を備えたことを特徴とする。
【０００７】
なお、前記変位部材の変位としては、移動や回転等が挙げられる。また、前記光ディスクとしては、ＣＤ、ＤＶＤ、デュアルディスク、ＳＡＣＤ（ハイブリッド・ディスク）等が挙げられる。
【０００８】
また、前記当接部を、前記ケースに設けることが好ましい。さらに、前記検出手段は、押圧可能な押圧部を有し、前記押圧部が押圧されたことを検出する押圧スイッチから構成され、前記変位部材は、前記検出位置に変位したときに前記押圧部を押圧し、前記非検出位置に変位したときに前記押圧部への押圧を解除することが好ましい。
【０００９】
また、前記検出手段の検出結果に基づいて、前記モータの駆動を制御する制御手段を備えることが好ましい。
【発明の効果】
【００１０】
本発明の光ディスク装置によれば、ディスクトレイに設けた変位部材及び検出手段により、変位部材が検出位置に変位したこと、すなわち、ディスクトレイが引出し位置に移動したことを検出するから、ケースの内部に、ディスクトレイが引出し位置に移動したことを検出する検出機構を設けることが難しい薄型タイプの光ディスク装置でも、ディスクトレイが引出し位置に移動したことを検出することができる。
【発明を実施するための最良の形態】
【００１１】
図１に示すように、光ディスク装置２は、ノート型パソコン等の電子機器に内蔵されるものであり、光ディスク装置２は、例えばパソコン本体３の一方の側面に組み込まれる。光ディスク４を装填するとき及び取り出すときには、トレイユニット５をいっぱいに引き出して行う。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン７を押す。
【００１２】
図２及び図３に示すように、光ディスク装置２は、薄板金属製の下カバー９及び上カバー（図示せず）により構成されるケース１０を備え、トレイユニット５は、ケース１０の外部に引き出された引出し位置（図２参照）と、ケース１０の内部に格納される格納位置（図３参照）との間で、前後方向に移動自在に設けられている。下カバー９の内部の後端部には、光ディスク装置２の駆動を制御する制御基板（制御手段）１３が取り付けられている。
【００１３】
トレイユニット５は、光ディスク４の外径に対応した窪みが形成された樹脂製のディスクトレイ１４と、光ピックアップ１５が設けられ、光ディスク４の径方向に移動自在に設けられたキャリッジ１６を有するピックアップユニット１７とを備え、ピックアップユニット１７は、ディスクトレイ１４に取り付けられている。
【００１４】
ピックアップユニット１７には、光ディスク４を回転させるスピンドルモータ１８が設けられており、スピンドルモータ１８の駆動軸には、チャッキングコア１９が固定されている。ディスクトレイ１４の窪みに合わせて光ディスク４を装填すると、チャッキングコア１９が光ディスク４のチャック孔４ａ（図１参照）に係合して光ディスク４を保持する。
【００１５】
ディスクトレイ１４には、光ピックアップ１５及びスピンドルモータ１８の駆動を制御する駆動基板（図示せず）が設けられており、この駆動基板は、ＦＰＣ（Ｆｌｅｘｉｂｌｅ  Ｐｒｉｎｔｅｄ  Ｃｉｒｃｕｉｔ）から構成されるフレキシブル基板２０により制御基板１３に接続されている。イジェクトボタン７は、駆動基板に接続されており、イジェクトボタン７を押すと、駆動基板を介して制御基板１３に、イジェクト信号が入力される。制御基板１３は、イジェクト信号が入力されたことに応答して、ディスクトレイ１４の位置に応じた制御（モータ６８（図１０参照）の回転方向の制御）を行う。
【００１６】
図４、図５及び図６に示すように、ディスクトレイ１４の下面には、ディスクトレイ１４が引出し位置に移動したこと（スイッチレバー２２が検出位置に回転したこと）を検出する検出スイッチ（検出手段）２１が取り付けられている。検出スイッチ２１は、光ピックアップ１５及びスピンドルモータ１８の駆動を制御する駆動基板（図示せず）に接続されている。検出スイッチ２１は、スイッチ本体２１ａに、スイッチ片（押圧部）２１ｂが移動自在に取り付けられている。スイッチ片２１ｂは、バネ（図示せず）により、スイッチ本体２１ａから突出する方向に向けて付勢されている。検出スイッチ２１は、スイッチ片２１ｂが突出位置（図５参照）に位置するときには、スイッチオフとなり、スイッチ片２１ｂが検出位置（図４参照）まで押圧されたときにオンとなり、オンのときには、駆動基板、フレキシブル基板２０を介して制御基板１３にスイッチオン信号を出力する。制御基板１３は、検出スイッチ２１からスイッチオン信号が入力されているときには、ディスクトレイ１４が引出し位置に位置すると判断する。
【００１７】
ディスクトレイ１４の下面には、スイッチレバー（変位部材）２２が回転自在に取り付けられている。スイッチレバー２２は、ディスクトレイ１４が引出し位置に位置するときに、スイッチ片２１ｂを押圧して、検出スイッチ２１をオンさせるものであり、スイッチ片２１ｂを押圧する検出位置（図４参照）と、スイッチ片２１ｂを押圧しない非検出位置（図５参照）との間で回転する。スイッチレバー２２は、スイッチバネ（付勢手段）２３により非検出位置に向けて付勢されている。スイッチバネ２３は、円巻された本体部２３ａと、本体部２３ａの一端に連続して形成された第１フック部２３ｂと、本体部２３ａの他端に連続して形成された第２フック部２３ｃとを備える。スイッチレバー２２は、ディスクトレイ１４の下面に形成された回転規制ボス１４ｃに当接することにより、非検出位置に向けての回転が規制される。
【００１８】
スイッチレバー２２は、スイッチ片２１ｂを押圧するスイッチ押圧部２２ａと、ディスクトレイ１４が引出し位置に移動したときに、下カバー９の当接片（当接部）９ｂに当接する当接部２２ｂと、第２フック部２３ｃがフックされるフック部２２ｃとを備える。フック部２２ｃには、第２フック部２３ｃが挿入されるフック孔２２ｄが形成されている。スイッチレバー２２は、取付孔２２ｅを中心にディスクトレイ１４の下面に回転自在に取り付けられる。ディスクトレイ１４の下面に形成されたフックボス１４ｂに第１フック部２３ｂをフックさせ、フック孔２２ｄに第２フック部２３ｃを挿入すると、スイッチレバー２２は、非検出位置に向けて付勢される。図６に示すように、フック部２２ｃは、段差状に形成されており、フック孔２２ｄに第２フック部２３ｃを挿入したときに、本体部２３ａがディスクトレイ１４の下面に当接することがない。これにより、スイッチバネ２３により、確実にスイッチレバー２２を非検出位置に向けて付勢することができる。
【００１９】
図４に示すように、ディスクトレイ１４が引出し位置に移動すると、当接部２２ｂが下カバー９の当接片９ｂに当接して、スイッチレバー２２は、スイッチバネ２３の付勢に抗して、検出位置に向けて回転される。そして、スイッチ押圧部２２ａによりスイッチ片２１ｂが押圧されて、検出スイッチ２１がオンされる。これにより、制御基板１３には、スイッチオン信号が入力される。制御基板１３は、スイッチオン信号が入力されたことに基づいて、ディスクトレイ１４が引出し位置に移動したと判断する。なお、スイッチレバー２２は、図５に示すように、ディスクトレイ１４が格納位置に位置するときに、ケース１０の内部に格納されるような形状で形成されている。これにより、ケース１０の前後方向（図５における上下方向）のサイズを大きくする必要がない。
【００２０】
図３及び図６〜図８に示すように、光ディスク装置２には、右主動レール３１、右従動レバー３２、右サブレール３３、右保持レール３４、右トレイレール３５及びレールギア３６を有する右レールユニット３７が設けられている。また、光ディスク装置２には、左主動レール４１、左従動レバー４２、左サブレール４３、左保持レール４４、左トレイレール４５及びレールギア３６を有する左レールユニット４７が設けられている。各部材４１〜４５は、各部材３１〜３５と同様な構成（各部材３１〜３５の左右を逆にした形状）で形成されており、その説明及び図示は簡略化するが、各部材３１〜３５と同様に、各部分に符号が付される。
【００２１】
図７、図８及び図９に示すように、右主動レール３１は、ディスクトレイ１４を引出し位置に移動させる前進位置（図４及び図１０（Ｂ）参照）と、ディスクトレイ１４を格納位置に移動させる後退位置（図５及び図１０（Ａ）参照）との間で移動自在に設けられ、樹脂により構成されている。
【００２２】
右主動レール３１は、下板３１ａ及び側板３１ｂからなる略Ｌ字に形成されており、下板３１ａには、主動ラックギア３１ｃ、右従動レバー３２をガイドする前ガイド凸部３１ｄ及び後ガイド凸部３１ｅ、右従動レバー３２の前ガイド凸部３２ｃ及び後ガイド凸部３２ｄが挿入される前挿入孔３１ｆ及び後挿入孔３１ｇ、レールバネ５１が挿入されるバネ挿入孔３１ｈ、レールバネ５１の一端５１ａを保持する保持凸部３１ｉ、右従動レバー３２の後方向（図９における上方向）への移動を規制する規制凸部３１ｊが形成されている。
【００２３】
主動ラックギア３１ｃは、後退位置に移動したときに、後述するレール伝達ギア６７との噛合が解除されるような長さで形成されており、下板３１ａには、主動ラックギア３１ｃの前側に切欠き３１ｋが形成されている。主動ラックギア３１ｃとの噛合が解除されたレール伝達ギア６７は、切欠き３１ｋに入り込むため、レール伝達ギア６７が下板３１ａに接触することがない。
【００２４】
側板３１ｂには、レールギア３６を回転自在に保持する軸ピン５２が取り付けられている。右保持レール３４は、側板３１ｂを保持する。同様にして、左主動レール４１の側板４１ｂには、レールギア３６を回転自在に保持する軸ピン５２が取り付けられている。
【００２５】
図７、図８及び図９に示すように、右従動レバー３２は、右主動レール３１が前進位置と後退位置との間で移動するときには、右主動レール３１とともに移動し、右主動レール３１が後退位置に移動した後は、単独でロック解除位置（図５、図１２（Ａ）及び図１３（Ａ）参照）とロック位置（図１２（Ｂ）及び図１３（Ｂ）参照）との間で移動するものであり、樹脂により構成され、弾性変形可能な形状（厚み等）で形成されている。
【００２６】
右従動レバー３２は、板状の本体部３２ａに、従動ラックギア３２ｂ、前ガイド凸部３２ｃ、後ガイド凸部３２ｄ、右主動レール３１の前ガイド凸部３１ｄ及び後ガイド凸部３１ｅが挿入される前挿入孔３２ｅ及び後挿入孔３２ｆ、レールバネ５１が挿入されるバネ挿入孔３２ｇ、レールバネ５１の他端５１ｂを保持する保持凸部３２ｈ、断面略Ｌ字状に形成され、ロックレバー５５の押圧面５５ｆ（図１２参照）を押圧する押圧部３２ｉが形成されている。各ガイド凸部３２ｃ，３２ｄは、本体部３２ａの下面から突出して形成されている。なお、左従動レバー４２には、押圧部３２ｉの形状が形成されていない。
【００２７】
図７及び図８に示すように、右サブレール３３は、樹脂により構成されており、板状の本体部３３ａに、取付凸部３３ｂが形成されている。取付凸部３３ｂが図示しないビスにより右主動レール３１に取り付けられる。取付凸部３３ｂの前後方向における略中心部には、切欠き３３ｃが形成されている。本体部３３ａの切欠き３３ｃが形成された部分には、軸ピン５２が圧入される圧入孔３３ｄが形成されている。
【００２８】
図８に示すように、右保持レール３４は、右主動レール３１を移動自在に保持するものであり、薄板金属により構成されている。右保持レール３４は、断面略コ字状の本体部３４ａに、上リブ３４ｂが形成されており、上リブ３４ｂには、保持ラックギア３４ｃが形成されている。本体部３４ａは、図示しないビスにより、下カバー９の側壁の内面に固定されている。
【００２９】
図６に示すように、右トレイレール３５は、右サブレール３３を移動自在に保持するものであり、薄板金属により構成されている。右トレイレール３５は、断面略コ字状の本体部３５ａに、上リブ３５ｂ及び下リブ３５ｃが形成されており、下リブ３５ｃには、トレイラックギア３５ｄが形成されている。本体部３５ａは、図示しないビスにより、ディスクトレイ１４の右側面に取り付けられている。レールギア３６は、保持ラックギア３４ｃとトレイラックギア３５ｄとに噛合する。
【００３０】
図７及び図８に示すように、右主動レール３１に右サブレール３３を取り付けるときは、先ず、軸ピン５２を、レールギア３６の挿通孔３６ａに挿通した後、右サブレール３３の圧入孔３３ｄに圧入する。そして、図示しないビスにより、右サブレール３３を右主動レール３１に取り付ける。
【００３１】
右主動レール３１に右従動レバー３２を移動自在に取り付けるときは、先ず、図９（Ａ）に示すように、前挿入孔３１ｆ及び後挿入孔３１ｇに、前ガイド凸部３２ｃ及び後ガイド凸部３２ｄを挿入する。このとき、右従動レバー３２の後端部が、規制凸部３１ｊに当接するため、右従動レバー３２の後端部を変形させ（撓ませ）ながら行う。そして、図９（Ｂ）に示すように、右従動レバー３２を前方に移動させると、右従動レバー３２が右主動レール３１に移動自在に取り付けられる。この状態で、レールバネ５１をバネ挿入孔３１ｈ及びバネ挿入孔３２ｇに挿入し、一端５１ａを保持凸部３１ｉに、他端５１ｂを保持凸部３２ｈに、それぞれ保持させると、右従動レバー３２は、右主動レール３１に対して前方（図９における下方）に付勢された状態となる。右従動レバー３２は、右主動レール３１に対して前方に付勢されると、右従動レバー３２の後挿入孔３２ｆにより形成された後壁面２２ｊに、後ガイド凸部３１ｅが当接して、レールバネ５１による右従動レバー３２の付勢が規制される。
【００３２】
図１０（Ａ）に示すように、右主動レール３１が後退位置に位置するときには、レールギア３６は、保持ラックギア３４ｃの後端部とトレイラックギア３５ｄの前端部とに噛合している。右主動レール３１が前進位置に向けて前方（図１０における下方）に移動すると、右主動レール３１に設けられたレールギア３６も前方向に移動する。右保持レール３４は、下カバー９に固定されているため、レールギア３６は、前方向への移動に伴い、Ａ方向に回転する。トレイラックギア３５ｄはレールギア３６に噛合しており、レールギア３６がＡ方向に回転すると、右トレイレール３５が前方向に移動する。右トレイレール３５が前方向に移動すると、右トレイレール３５が固定されたディスクトレイ１４も前方向に移動する。
【００３３】
図１０（Ｂ）に示すように、右主動レール３１が前進位置に移動すると、レールギア３６が、保持ラックギア３４ｃの前端部とトレイラックギア３５ｄの後端部とに噛合している状態となる。また、右主動レール３１が前進位置に移動すると、ディスクトレイ１４は引出し位置に移動する。
【００３４】
図４、図５、図１１及び図１２に示すように、ディスクトレイ１４の下面には、ディスクトレイ１４に設けられた支持部（図示せず）により、ロックレバー５５が、係合位置（図１２（Ｂ）参照）と退避位置（図１２（Ａ）参照）との間で左右方向に移動自在に支持されている。ロックレバー５５は、ロックバネ５６により係合位置に向けて右方に付勢されている。
【００３５】
ロックレバー５５は、本体部５５ａと、右従動レバー３２の押圧部３２ｉにより押圧される押圧部５５ｂと、下カバー９のロック片９ａに係合してロックされる係合部５５ｃとを備える。本体部５５ａには、ロックバネ５６が挿入される挿入孔５５ｄと、ロックバネ５６の一端５６ａを保持する保持凸部５５ｅとが形成されている。押圧部５５ｂは、押圧部３２ｉにより押圧される押圧面５５ｆが、傾斜して形成されている。係合部５５ｃは、ディスクトレイ１４が格納位置に移動するときにロック片９ａにより押圧される押圧面５５ｇが、傾斜して形成されている。ロックレバー５５がロック位置に移動すると、係合部５５ｃの係合面５５ｈがロック片９ａに当接し、係合部５５ｃがロック片９ａに係合する。これにより、ロックレバー５５がロックされる。押圧部５５ｂは、ロック片９ａよりも上方に位置するように形成されている。
【００３６】
ロックバネ５６を挿入孔５５ｄに挿入し、一端５６ａを保持凸部５５ｅに保持させ、他端５６ｂをディスクトレイ１４に形成された保持凸部１４ａに保持させると、ロックレバー５５は、左右方向に移動自在で、且つ、ロックバネ５６により係合位置に向けて付勢された状態で、ディスクトレイ１４の下面に取り付けられる。
【００３７】
図４に示すように、下カバー９の内部には、右主動レール３１を移動させる右ギア機構６０が設けられている。右ギア機構６０は、第１〜第６ギア６１〜６６、レール伝達ギア６７、モータ６８、モータ６８の回転シャフトに取り付けられたウォームギア６９を備える。各ギア６１〜６７は、下カバー９に回転自在に取り付けられている。第１ギア６１は、ウォームギア６９に噛合しており、第２ギア６２は、第１ギア６１に噛合している。そして、第３ギア６３、第４ギア６４、第５ギア６５、第６ギア６６、レール伝達ギア６７の順に噛合している。これにより、モータ６８の回転シャフトが回転すると、レール伝達ギア６７が回転する。第２〜第４ギア６２〜６４は、２段ギアで形成されており、第２〜第４ギア６２〜６４では、回転が減速されて伝達される。本実施形態では、トレイ駆動機構は、右レールユニット３７と、右ギア機構６０とを備えて構成されている。
【００３８】
下カバー９の内部には、左主動レール４１を移動させる左ギア機構７０が設けられている。左ギア機構７０は、第１〜第５ギア６１〜６５、レール伝達ギア６７を備える。第１ギア６１の上面には、プーリー部６１ａが形成されており、２個の第１ギア６１のプーリー部６１ａには、ベルト７１が巻き掛けられている。これにより、モータ６８の回転シャフトが回転すると、左ギア機構７０のレール伝達ギア６７が回転する。左ギア機構７０には、第６ギア６６が設けられておらず、これにより、右ギア機構６０のレール伝達ギア６７と、左ギア機構７０のレール伝達ギア６７とは、その回転方向が逆になる。
【００３９】
図４に示すように、右主動レール３１が前進位置に位置するときには、レール伝達ギア６７は、主動ラックギア３１ｃの後端部に噛合している。モータ６８を駆動して、右ギア機構６０のレール伝達ギア６７を、Ｂ方向に回転させる（左ギア機構７０のレール伝達ギア６７をＣ方向に回転させる）と、右主動レール３１及び左主動レール４１が後方（図４における上方）に移動する。以下、右主動レール３１と左主動レール４１とは同様の動作をするため、右主動レール３１の動作のみを説明する。
【００４０】
右主動レール３１が前進位置から後退位置に向けて移動し、後退位置に移動する前に、従動ラックギア３２ｂもレール伝達ギア６７に噛合する。そして、図５及び図１３（Ａ）に示すように、右主動レール３１が後退位置に移動（ディスクトレイ１４が格納位置に移動）すると、右従動レバー３２がロック解除位置に位置する。この状態では、レール伝達ギア６７は切欠き３１ｋに入り込み、レール伝達ギア６７と主動ラックギア３１ｃとの噛合が解除されて、レール伝達ギア６７は従動ラックギア３２ｂにのみ噛合している状態となる。右従動レバー３２がロック解除位置に位置しているため、右従動レバー３２の押圧部３２ｉが、押圧部５５ｂの押圧面５５ｆを押圧し、ロックレバー５５は、ロックバネ５６の付勢に抗して、退避位置に維持される。なお、右主動レール３１が後退位置に移動する前に、ロック片９ａに係合部５５ｃの押圧面５５ｇが当接し、ロックレバー５５が退避位置に向けて移動される。それと同時に、押圧部３２ｉがロックレバー５５の押圧面５５ｆを押圧し、ロックレバー５５が退避位置に向けて移動される。また、押圧部５５ｂは、ロック片９ａよりも上方に位置するように形成されているため、ディスクトレイ１４が格納位置に移動するときに、押圧部５５ｂがロック片９ａに接触することがない。
【００４１】
図１３（Ｂ）に示すように、右主動レール３１が後退位置に移動した後、さらに右ギア機構６０のレール伝達ギア６７が図４中Ｂ方向に回転すると、右従動レバー３２がロック解除位置からロック位置に後方に移動する。右従動レバー３２がロック位置に移動すると、押圧部３２ｉによる押圧部５５ｂへの押圧が解除され、ロックレバー５５がロックバネ５６の付勢により係合位置に移動する。ロックレバー５５が係合位置に移動すると、係合部５５ｃがロック片９ａに係合してロックレバー５５はロックされ、ロックレバー５５が取り付けられたディスクトレイ１４は格納位置でロックされる。右従動レバー３２の後方への移動は、規制凸部３１ｊに当接することにより規制される。なお、図５においては、図面の乱雑を避けるため、第１〜第６ギア６１〜６６、ベルト７１の図示を省略している。また、光ディスク装置２には、右従動レバー３２がロック位置に移動したことを検出する検出スイッチが設けられており、制御基板１３は、上記検出スイッチによる検出が行われたことに応答して、モータ６８の駆動を停止する。
【００４２】
一方、ディスクトレイ１４を格納位置から引出し位置に移動させるときには、モータ６８を駆動して、右ギア機構６０のレール伝達ギア６７を、図５中Ｃ方向に回転させて、右従動レバー３２をロック位置からロック解除位置に向けて移動させる。右従動レバー３２がロック解除位置に移動すると、押圧部３２ｉが押圧部５５ｂの押圧面５５ｆを押圧して、ロックレバー５５が退避位置に移動する。ロックレバー５５が退避位置に移動すると、ディスクトレイ１４のロックが解除される。
【００４３】
また、右従動レバー３２がロック解除位置に移動すると、後壁面３２ｊに後ガイド凸部３１ｅが当接する。これにより、右従動レバー３２がロック解除位置から、さらに前方向に移動すると、右従動レバー３２とともに右主動レール３１が前方向に移動する。右主動レール３１が前方向に移動すると、レール伝達ギア６７は切欠き３１ｋから抜け出して主動ラックギア３１ｃに噛合する。レール伝達ギア６７が主動ラックギア３１ｃに噛合すると、レール伝達ギア６７のＣ方向への回転により、右主動レール３１が前進位置に向けて移動する。
【００４４】
次に、上記のように構成された光ディスク装置２の作用について説明する。ディスクトレイ１４が格納位置に位置しているときには、検出スイッチ２１はオフであり、制御基板１３にはスイッチオン信号が入力されていない。この状態で、ユーザがイジェクトボタン７を押すと、制御基板１３は、イジェクトボタン７からイジェクト信号が入力されたことに応答して、右ギア機構６０のレール伝達ギア６７を図５中Ｃ方向に回転させるように、モータ６８の駆動を制御する。この制御により、ディスクトレイ１４が格納位置から引出し位置に向けて移動する。
【００４５】
ディスクトレイ１４が引出し位置に移動すると、スイッチレバー２２の当接部２２ｂが下カバー９の当接片９ｂに当接して、スイッチレバー２２は、スイッチバネ２３の付勢に抗して、検出位置に向けて回転される。そして、スイッチ押圧部２２ａによりスイッチ片２１ｂが押圧されて、検出スイッチ２１がオンされる。これにより、制御基板１３には、スイッチオン信号が入力される。制御基板１３は、スイッチオン信号が入力されたことに基づいて、ディスクトレイ１４が引出し位置に移動したと判断し、モータ６８の駆動を停止する。
【００４６】
ディスクトレイ１４が引出し位置に位置し、制御基板１３にスイッチオン信号が入力されているときに、ユーザがイジェクトボタン７を押すと、制御基板１３は、イジェクトボタン７からイジェクト信号が入力されたことに応答して、右ギア機構６０のレール伝達ギア６７を図４中Ｂ方向に回転させるように、モータ６８の駆動を制御する。この制御により、ディスクトレイ１４が引出し位置から格納位置に向けて移動する。
【００４７】
また、ディスクトレイ１４が引出し位置に位置し、制御基板１３にスイッチオン信号が入力されているときに、ユーザが手動でディスクトレイ１４を格納位置に向けて移動させると、検出スイッチ２１から制御基板１３へのスイッチオン信号の入力が停止される。制御基板１３は、スイッチオン信号の入力が停止されたことに応答して、右ギア機構６０のレール伝達ギア６７をＢ方向に回転させるように、モータ６８の駆動を制御する。この制御により、ディスクトレイ１４が格納位置に向けて移動する。
【００４８】
このように、ディスクトレイ１４に設けた検出スイッチ２１及びスイッチレバー２２により、ディスクトレイ１４が引出し位置に移動したことを検出するから、ケース１０の内部に、検出スイッチ２１及びスイッチレバー２２を設けることが難しい薄型タイプの光ディスク装置２でも、ディスクトレイ１４が引出し位置に移動したことを検出することができる。
【００４９】
また、スイッチレバー２２により、検出スイッチ２１をオンさせるから、ディスクトレイ１４の後端がケース１０から突出した状態（図４参照）を引出し位置とすることができる。これにより、引出し位置に位置するディスクトレイ１４の後端がケース１０から突出しないタイプのものに比べて、ディスクトレイ１４に光ディスク４を装填するとき、及び、ディスクトレイ１４から光ディスク４を取り出すときの操作性を向上することができる。スイッチレバー２２を設けずに、検出スイッチ２１をケース１０に当接させて引出し位置を検出する場合には、検出スイッチ２１を、ディスクトレイ１４の後端から突出しないように取り付ける必要があるため（ケース１０のサイズ維持のため）、引出し位置に位置するディスクトレイ１４の後端がケース１０から突出しない。すなわち、スイッチレバー２２を設けることにより、上記操作性を向上することができる。
【００５０】
さらに、検出スイッチ２１の検出結果（オン／オフ）に基づいて、制御基板１３は、モータ６８の駆動を制御するから、ユーザがイジェクトボタン７を押した場合、手動でディスクトレイ１４を移動させた場合にも、ディスクトレイ１４を正しい方向に移動させることができる。
【００５１】
また、ディスクトレイ１４が引出し位置に位置するときには、スイッチレバー２２が下カバー９に当接しているから、スイッチレバー２２を、ディスクトレイ１４がケース１０から抜け落ちることを防止するストッパとしても機能させることができる。
【００５２】
さらに、右ギア機構６０により右主動レール３１を移動させ、左ギア機構７０により左主動レール４１を移動させるから、各移動機構６０，７０のうちのいずれか一方のみを設けたものに比べて、ディスクトレイ１４が引出し位置に位置するときの、ディスクトレイ１４のガタつきを抑制することができる。
【００５３】
なお、上記実施形態では、スイッチバネ２３により、スイッチレバー２２を非検出位置に向けて付勢し、ディスクトレイ１４が引出し位置に移動したときに、スイッチレバー２２を検出位置に回転させるようにしたが、これに限定されることなく、ディスクトレイ１４が引出し位置に移動したことを検出することができればよく、スイッチバネ２３により、スイッチレバー２２を検出位置に向けて付勢し、ディスクトレイ１４が引出し位置に移動したときに、スイッチレバー２２が非検出位置に回転されるようにしてもよい。この場合には、制御基板１３は、検出スイッチ２１からのスイッチオン信号の入力が停止されたときに、ディスクトレイ１４が引出し位置まで移動したと判断する。
【００５４】
また、上記実施形態では、スイッチレバー２２に当接して、スイッチレバー２２を検出位置に回転させる当接部を、当接片９ｂとして下カバー９に設けたが、これに限定されることなく、ディスクトレイ１４が引出し位置に移動したときに、スイッチレバー２２を検出位置に回転させることができればよく、当接片９ｂの形状を、左主動レール４１や左従動レバー４２等に設けるようにしてもよい。
【００５５】
さらに、上記実施形態では、ディスクトレイ１４に回転自在に取り付けたスイッチレバー２２を検出スイッチ２１に当接させてオンさせるようにしたが、スイッチレバー２２を設けずに、下カバー９や左主動レール４１や左従動レバー４２等を、検出スイッチ２１に当接させてオンさせるようにしてもよい。この場合には、検出スイッチ２１に当接する部材（下カバー９、左主動レール４１及び左従動レバー４２のいずれか１つ）に、スイッチ当接部を形成する。
【００５６】
また、上記実施形態では、押圧タイプの検出スイッチ２１を用いて、スイッチレバー２２の位置を検出したが、発光部と受光部とを有する光電センサ等を用いて、スイッチレバー２２の位置を検出してもよい。この場合には、スイッチレバー２２が非検出位置に位置するときには、発光部からの光は受光部で受光され、スイッチレバー２２が検出位置に移動すると、発光部からの光がスイッチレバー２２で遮断され、受光部で受光されないように、スイッチレバー２２及び光電センサを設ける。光電センサは、受光部で受光していないときには、制御基板１３に引出し位置検出信号を出力する。これにより、制御基板１３は、光電センサから引出し位置検出信号が入力されているときには、ディスクトレイ１４が引出し位置に位置していると判断することができる。
【００５７】
さらに、上記実施形態では、スイッチバネ２３により、スイッチレバー２２を非検出位置に向けて付勢したが、これに限定されることなく、スイッチバネ２３を設けずに、スイッチレバー２２に弾性変形するバネ部を一体的に形成し、このバネ部により、スイッチレバー２２を非検出位置に向けて付勢するようにしてもよい。
【００５８】
また、上記実施形態では、ロックレバー５５をディスクトレイ１４に取り付けるとともに、下カバー９にロック片９ａを形成したが、右従動レバー３２がロック解除位置からロック位置に移動したことに応じてディスクトレイ１４をロックすることができればよく、ロックレバー５５を下カバー９に取り付け、ロック片９ａの形状をディスクトレイ１４に設けるようにしてもよい。
【００５９】
さらに、上記実施形態では、ロック片９ａによりロックレバー５５をロックしたが、ロックレバー５５をロックする方法は適宜変更可能であり、例えば、下カバー９に、ディスクトレイ１４が格納位置に移動したときの係合部５５ｃが挿入されるとともに、係合部５５ｃが挿入された状態でロックレバー５５が係合位置と退避位置との間で移動自在となるような係合孔を形成し、ロックレバー５５が係合位置に移動したときには、係合部５５ｃが係合孔の壁面に係合してロックされるようにしてもよい。
【００６０】
また、上記実施形態では、右ギア機構６０を、第１〜第６ギア６１〜６６、レール伝達ギア６７、モータ６８、ウォームギア６９から構成したが、ギアの種類及び数量は適宜変更可能である。
【００６１】
さらに、上記実施形態では、右ギア機構６０及び左ギア機構７０を設け、各機構６０，７０により各主動レール３１，４１を移動させるようにしたが、各機構６０，７０のうちの一方のみを設けるようにしてもよい。例えば、右ギア機構６０のみを設けた場合には、各部材４１〜４５を設ける必要がなく、その代わりに、右ギア機構６０によるディスクトレイ１４の移動をガイドするガイドレールのみを設ければよい。
【００６２】
また、上記実施形態では、ディスクトレイ１４に、ピックアップユニット１７を設けた光ディスク装置２に本発明を実施したが、本発明は、ピックアップユニット１７を有するトラバースメカが、光ディスク４を再生する再生位置とこの再生位置から退避した退避位置との間で昇降自在に、ケース１０の内部に設けられた光ディスク装置にも実施可能である。この場合には、右従動レバー３２がロック解除位置からロック位置に向けて移動したときに、トラバースメカを再生位置に上昇させる。例えば、右従動レバー３２の移動により移動するスライダを設け、このスライダに、トラバースメカに設けられたトラバースピンが挿入されるカム孔を形成し、スライダが移動するとトラバースピンがカム孔を案内されて、トラバースメカが再生位置に上昇する。より詳しくは、光ディスク４が装填されたディスクトレイ１４が格納位置に移動した後、右従動レバー３２がロック解除位置からロック位置に向けて移動する。この移動に連動してスライダが移動して、トラバースメカが再生位置に上昇し、ピックアップユニット１７に設けられたスピンドルモータ１８により光ディスク４が回転可能状態となる。なお、スライダを設けずに、右従動レバー３２に上記カム孔を形成してもよい。
【図面の簡単な説明】
【００６３】
【図１】本発明の光ディスク装置を備えたノート型パソコンの外観図である。
【図２】ディスクトレイが引出し位置に位置するときの光ディスク装置を示す斜視図である。
【図３】ディスクトレイが格納位置に位置するときの光ディスク装置を示す斜視図である。
【図４】ディスクトレイが引出し位置に位置するときの上面図である。
【図５】ディスクトレイが格納位置に位置し、右従動レバーがロック解除位置に位置するときの上面図である。
【図６】ディスクトレイと右トレイレールと左トレイレールとスイッチレバーとを示す分解斜視図である。
【図７】右主動レールと右従動レバーと右サブレールとレールバネとを示す分解斜視図である。
【図８】下カバーと右主動レールと右従動レバーと右サブレールと右保持レールとレールバネとレール伝達ギアとを示す分解斜視図である。
【図９】右主動レールと右従動レバーとレールバネとを示す右側面断面図である。
【図１０】右主動レールと右保持レールと右トレイレールとレールギアとを示す右側面断面図である。
【図１１】下カバーの内部を示す正面図である。
【図１２】下カバーとロック片と右従動レバーとロックレバーとロックバネとを示す斜視図である。
【図１３】下カバーとロック片と右従動レバーとロックレバーとロックバネとを示す上面図である。
【符号の説明】
【００６４】
２  光ディスク装置
４  光ディスク
９  下カバー
９ｂ  当接片（当接部）
１０  ケース
１３  制御基板（制御手段）
１４  ディスクトレイ
２１  検出スイッチ（検出手段）
２１ｂ  スイッチ片（押圧部）
２２  スイッチレバー（変位部材）
２３  スイッチバネ（付勢手段）
３１  右主動レール
３２  右従動レバー
６０  右ギア機構
６８  モータ
【図１】
2008305522.tif 000003
【図２】
2008305522.tif 000004
【図３】
2008305522.tif 000005
【図４】
2008305522.tif 000006
【図５】
2008305522.tif 000007
【図６】
2008305522.tif 000008
【図７】
2008305522.tif 000009
【図８】
2008305522.tif 000010
【図９】
2008305522.tif 000011
【図１０】
2008305522.tif 000012
【図１１】
2008305522.tif 000013
【図１２】
2008305522.tif 000014
【図１３】
2008305522.tif 000015